(57)【要約】【課題】  ユーザ本人の個人情報を常にユーザ本人の管理下に置くことができ、ユーザ認証によるセキュリティ機能が高く、かつ、情報の提示に際して他人に覗かれることがない、情報提示システムを提供する。【解決手段】  本発明の情報提示システム１０は、ユーザ個人に固有の生体情報であるバイオメトリクス情報とそのユーザの保有する個人情報を記憶した持ち運び可能な記憶媒体１と、記憶媒体１に記憶された個人情報の内容をユーザ本人の視野内でのみ表示する情報表示手段２と、ユーザのバイオメトリクス情報を検出する検出手段７と、記憶媒体１に記憶されたバイオメトリクス情報と検出手段７により検出されたバイオメトリクス情報とを読み取り、両者を照合してユーザ認証を行い、ユーザ認証が確立したときにのみ情報表示手段２による個人情報の表示を許可する認証処理装置１１とを備える。【選択図】  図１
2007006393.tif 000002
【特許請求の範囲】
【請求項１】
ユーザ個人に固有の生体情報であるバイオメトリクス情報とそのユーザの保有する個人情報を記憶した持ち運び可能な記憶媒体と、
該記憶媒体に記憶された前記個人情報の内容をユーザ本人の視野内でのみ表示する情報表示手段と、
前記ユーザのバイオメトリクス情報を検出する検出手段と、
前記記憶媒体に記憶されたバイオメトリクス情報と前記検出手段により検出されたバイオメトリクス情報とを読み取り、両者を照合してユーザ認証を行い、ユーザ認証が確立したときにのみ前記情報表示手段による個人情報の表示を許可する認証処理装置と、を備える、
ことを特徴とする情報提示システム。
【請求項２】
ユーザ個人に固有の生体情報であるバイオメトリクス情報とそのユーザの保有する個人情報を記憶した記憶媒体と、
該記憶媒体に記憶された前記個人情報の内容をユーザ本人の視野内でのみ表示する情報表示手段と、
前記ユーザのバイオメトリクス情報を検出する検出手段と、
前記記憶媒体を内蔵し、該記憶媒体に記憶されたバイオメトリクス情報と前記検出手段により検出されたバイオメトリクス情報とを読み取り、両者を照合してユーザ認証を行い、ユーザ認証が確立したときにのみ前記情報表示手段による個人情報の表示を許可する、持ち運び可能な認証処理装置と、を備える、
ことを特徴とする情報提示システム。
【請求項３】
前記記憶媒体は、前記バイオメトリクス情報に代えて該バイオメトリクス情報に基づいて所定の方式に従って生成された第１情報を記憶しており、
前記認証処理装置は、前記記憶媒体に記憶された第１情報と前記検出手段により検出されたバイオメトリクス情報とを読み取り、読み取ったバイオメトリクス情報に基づいて前記所定の方式と同一方式に従って第２情報を生成し、前記第１情報と前記第２情報とを照合してユーザ認証を行い、ユーザ認証が確立したときにのみ前記情報表示手段による個人情報の表示を許可する、
ことを特徴とする請求項１又は２に記載の情報提示システム。
【請求項４】
前記検出手段は、前記認証処理装置によるユーザ認証が確立した後においても継続して当該ユーザのバイオメトリクス情報を検出し、
前記認証処理装置は、ユーザ認証を継続して行い、そのユーザ認証の確立を維持することができない場合には前記情報表示手段による個人情報の表示を禁止する、ことを特徴とする請求項１〜３のいずれかに記載の情報提示システム。
【請求項５】
前記情報表示手段は、ヘッドマウントディスプレイである、ことを特徴とする請求項１〜４のいずれかに記載の情報提示システム。
【請求項６】
前記検出手段は、前記ヘッドマウントディスプレイに搭載されており、
前記バイオメトリクス情報は、その性質上、ユーザがヘッドマウントディスプレイを装着したときにのみ検出することができる情報である、ことを特徴とする請求項５に記載の情報提示システム。
【請求項７】
前記バイオメトリクス情報はユーザの虹彩パターンであり、前記ヘッドマウンドディスプレイは、前記検出手段としてユーザの虹彩パターンを撮像する虹彩撮像装置を搭載している、ことを特徴とする請求項６に記載の情報提示システム。
【請求項８】
前記ヘッドマウントディスプレイは、映像を表示する表示部と、該表示部により表示された映像を反射させてユーザに見せるハーフミラーとを備え、
前記虹彩撮像装置は、前記ハーフミラーを挟んでユーザの覗き込み位置の反対側からユーザの虹彩パターンを撮像するように配置されている、ことを特徴とする請求項７に記載の情報提示システム。
【発明の詳細な説明】
【技術分野】
【０００１】
本発明は、バイオメトリクス情報を用いたユーザ認証機能を有する情報提示システムに関する。
【背景技術】
【０００２】
自己の保有する個人情報を何らかの形で記録・保存しておく場合、システム手帳に記録したり、電子手帳やパーソナルコンピュータ等を用いて電子的情報に変換した形で記録したりするのが一般的である。個人情報をかかる電子的情報として記録する場合、その情報の秘匿性が高い場合には、情報の利用に際してユーザ認証を行って、その情報が他人に盗まれないようにする必要がある。かかる認証方法としては、パスワードを利用した認証が最も一般的であるが、パスワードを利用した認証は、覚えやすく簡単な文字列をパスワードとして設定する場合が多く、また、他人に教えることにより、本人以外の利用が可能となるため、セキュリティ面から見ると非常に脆弱である。かかる脆弱性を解決するために、種々のセキュリティ機能を持った情報提示システムが要求されており、従来技術として、例えば、下記特許文献１が開示されている。
【０００３】
図３は、下記特許文献１の「ユーザ／端末装置同時認証方法及びシステム」の動作フローチャートを示す図である。このシステムにおいては、端末装置によるホスト装置へのアクセス時に、指紋検出機能が有効化され、その結果検出された指紋情報が、端末識別情報と共にホスト装置に送信される（３０１〜３０４）。その結果、ホスト装置において、前記端末識別情報をキーにして前記指紋情報が照合されることにより端末装置認証とユーザ認証が同時に行われる。認証結果がＯＫの場合に、端末装置はホスト装置にアクセスできる（３０５〜３０７）。認証結果がＮＧの場合には、端末装置からホスト装置へのアクセスが禁止され、あるいは、端末装置そのものの動作が制限又は停止させられる。
【０００４】
【特許文献１】特開平１１−１９５００５号公報
【発明の開示】
【発明が解決しようとする課題】
【０００５】
しかしながら、上述したような従来の情報提示システムにおいては、ユーザの保有する個人情報はホスト装置に記憶されるものであり、ユーザ本人の管理下にあるものではないため、ユーザ認証のセキュリティ機能を無効化し、あるいは回避するなどの不正アクセスによってその情報が他人に漏洩する危険性がある。また、ユーザ認証によるセキュリティ機能を高め、ユーザ本人のみが情報にアクセスすることが可能となった場合でも、ユーザ本人への情報の提示に際して、その情報が外部から見えてしまったのでは、他人が覗き込むことにより情報が漏洩する恐れがある。
【０００６】
本発明は、かかる問題点に鑑みて創案されたものである。すなわち、本発明の目的は、ユーザ本人の個人情報を常にユーザ本人の管理下に置くことができ、ユーザ認証によるセキュリティ機能が高く、かつ、情報の提示に際して他人に覗かれることがない、情報提示システムを提供することにある。
【課題を解決するための手段】
【０００７】
本発明の目的を達成するため、本発明の情報提示システムは、ユーザ個人に固有の生体情報であるバイオメトリクス情報とユーザの保有する個人情報を記憶した持ち運び可能な記憶媒体と、該記憶媒体に記憶された前記個人情報の内容をユーザ本人の視野内でのみ表示する情報表示手段と、前記ユーザのバイオメトリクス情報を検出する検出手段と、前記記憶媒体に記憶されたバイオメトリクス情報と前記検出手段により検出されたバイオメトリクス情報とを読み取り、両者を照合してユーザ認証を行い、ユーザ認証が確立したときにのみ前記情報表示手段による個人情報の表示を許可する認証処理装置と、を備える、ことを特徴としている（請求項１）。
【０００８】
また、本発明の情報提示システムは、ユーザ個人に固有の生体情報であるバイオメトリクス情報とユーザの保有する個人情報を記憶した記憶媒体と、該記憶媒体に記憶された前記個人情報の内容をユーザ本人の視野内でのみ表示する情報表示手段と、前記ユーザのバイオメトリクス情報を検出する検出手段と、前記記憶媒体を内蔵し、該記憶媒体に記憶されたバイオメトリクス情報と前記検出手段により検出されたバイオメトリクス情報とを読み取り、両者を照合してユーザ認証を行い、ユーザ認証が確立したときにのみ前記情報表示手段による個人情報の表示を許可する、持ち運び可能な認証処理装置と、を備える、ことを特徴としている（請求項２）。
【０００９】
また、上記本発明の情報提示システムにおいて、前記記憶媒体は、前記バイオメトリクス情報に代えて該バイオメトリクス情報に基づいて所定の方式に従って生成された第１情報を記憶しており、前記認証処理装置は、前記記憶媒体に記憶された第１情報と前記検出手段により検出されたバイオメトリクス情報とを読み取り、読み取ったバイオメトリクス情報に基づいて前記所定の方式と同一方式に従って第２情報を生成し、前記第１情報と前記第２情報とを照合してユーザ認証を行い、ユーザ認証が確立したときにのみ前記情報表示手段による個人情報の表示を許可する、ようにしてもよい（請求項３）。
また、上記本発明の情報提示システムにおいて、好ましくは、前記検出手段は、前記認証処理装置によるユーザ認証が確立した後においても継続して当該ユーザのバイオメトリクス情報を検出し、前記認証処理装置は、ユーザ認証を継続して行い、そのユーザ認証の確立を維持することができない場合には前記情報表示手段による個人情報の表示を禁止するものとする（請求項４）。
【００１０】
また、上記本発明の情報提示システムにおいて、好ましくは、前記情報表示手段は、ヘッドマウントディスプレイである（請求項５）。
【００１１】
また、上記本発明の情報提示システムにおいて、好ましくは、前記検出手段は、前記ヘッドマウントディスプレイに搭載されており、前記バイオメトリクス情報は、その性質上、ユーザがヘッドマウントディスプレイを装着したときにのみ検出することができる情報である（請求項６）。
【００１２】
また、上記本発明の情報提示システムにおいて、好ましくは、前記バイオメトリクス情報はユーザの虹彩パターンであり、前記ヘッドマウンドディスプレイは、前記検出手段としてユーザの虹彩パターンを撮像する虹彩撮像装置を搭載している（請求項７）。
【００１３】
また、上記本発明の情報提示システムにおいて、好ましくは、前記ヘッドマウントディスプレイは、映像を表示する表示部と、該表示部により表示された映像を反射させてユーザに見せるハーフミラーとを備え、前記虹彩撮像装置は、前記ハーフミラーを挟んでユーザの覗き込み位置の反対側からユーザの虹彩パターンを撮像するように配置されている（請求項８）
【発明の効果】
【００１４】
本発明の情報提示システムによれば、持ち運び可能な記憶媒体に個人情報を記憶させ、あるいは、個人情報を記憶した記憶媒体を持ち運び可能な認証処理装置に内蔵しているので、これらをその個人情報の所有者であるユーザ本人が持ち歩くことで、その情報を常にユーザ本人の管理下に置くことができ、他人の不正アクセスによる情報の漏洩の危険性を低くすることができる。
また、仮に、個人情報を記憶した記憶媒体、あるいはこれを内蔵した認証処理装置が他人に盗まれた場合であっても、バイオメトリクス情報を用いたユーザ認証を採用することによりセキュリティ機能を高めているので、他人による個人情報への不正アクセスを有効に防止することができる。
また、記憶媒体に記憶された個人情報の内容をユーザ本人の視野内でのみ表示する情報表示手段を備えているので、ユーザ本人への個人情報の提示に際して、その情報が他人に覗かれてしまう危険性を回避することができる。
【００１５】
また、一旦ユーザ認証が確立した後も継続してユーザ認証を行い、そのユーザ認証の確立を維持することができない場合には情報表示手段による個人情報の表示を禁止するようになっているため、途中で使用権限を有しないユーザに交替した場合には、情報表示手段による個人情報の表示が禁止されるので、ユーザ認証によるセキュリティ機能をより高めることができる。
【００１６】
また、情報表示手段としてヘッドマウントディスプレイを用いることにより、個人情報の内容をユーザ本人の視野内でのみ確実に表示することができ、他人により覗かれることを確実に防止することができる。
【００１７】
また、バイオメトリクス情報を検出する検出手段は、ヘッドマウントディスプレイに搭載されており、バイオメトリクス情報は、その性質上、ユーザがヘッドマウントディスプレイを装着したときにのみ検出することができる情報であるので、ユーザ本人がヘッドマウントディスプレイを装着しない限り、ユーザのバイオメトリクス情報を検出することができず、ユーザ認証が行われることがないので、他人による不正アクセスをより効果的に防止することができ、セキュリティ機能をより高めることができる。
【００１８】
また、バイオメトリクス情報として、認識精度が高く、非接触での認識が可能で、偽造が困難という利点を有する虹彩パターンを用いるので、認証の信頼性、利便性を高めることができる。
【００１９】
また、表示部により表示された映像をハーフミラーにより反射させてユーザに見せるのと同時に、ハーフミラーを挟んでユーザの覗き込み位置の反対側からユーザの虹彩パターンを撮像するので、ユーザへの情報の提示と虹彩パターンの検出を同時に実現することができる。
【００２０】
つまり、本発明の情報提示システムによれば、ユーザ本人の個人情報を常にユーザ本人の管理下に置くことができ、ユーザ認証によるセキュリティ機能が高く、かつ、情報の提示に際して他人に覗かれることがない、等の優れた効果が得られる。
【発明を実施するための最良の形態】
【００２１】
以下、本発明の好適な実施の形態を添付図面に基づいて詳細に説明する。なお、各図において、同一部分には同一符号を付し、重複した説明を省略する。
【００２２】
図１は、本発明の情報提示システムの第１実施形態図である。同図に示す情報提示システム１０は、記憶媒体１と、情報表示手段２と、検出手段７と、認証処理装置１１とを備えて構成されている。
【００２３】
記憶媒体１は、磁気カード、フラッシュメモリカード、ＩＣカード、ＩＣタグ、フロッピー(登録商標）ディスク、ＣＤ−ＲＯＭ等の持ち運び可能な不揮発性記憶媒体であり、これにユーザ個人に固有のバイオメトリクス情報とユーザの保有する個人情報とを記憶させておく。記憶媒体１に記憶するバイオメトリクス情報及び個人情報は暗号化しておく。これにより、記憶媒体１が盗まれた場合でも情報の漏洩を防止することができる。ユーザの個人情報としては、例えば、パスワード、医療情報等のほか、ユーザが任意に記憶させておきたい情報が記憶される。
【００２４】
本実施形態では、バイオメトリクス情報として虹彩パターンを用いる。虹彩パターンは、人間の一生のなかで変化することがなく同一人物でも左右の目で異なっている。また、虹彩パターンは、眼の表面に存在することから眼球内の疾病などの影響を受けることはほとんどないと言われている。そのため、虹彩パターンを用いた個人認証は、認識精度が高く、非接触での認識が可能で、偽造が困難であり、安定性が高い（生涯変化しない）ため再登録が不要、という特徴があり、他のバイオメトリクス情報よりも有利な点が多い。なお、他の実施形態として、他のバイオメトリクス情報、例えば、指紋、掌紋、声紋、筆跡等を用いても良い。
【００２５】
情報表示手段２は、記憶媒体１に記憶された個人情報の内容をユーザ本人の視野内でのみ、即ち、ユーザ本人だけが見えるように表示するようになっており、本実施形態ではヘッドマウントディスプレイ３を用いている。ヘッドマウントディスプレイ３は、ユーザの頭部に着脱可能で、装着状態において顔面部に保持されてユーザにのみ見える形で情報を表示することができる。図１に示すように、このヘッドマウントディスプレイ３は、映像を表示する表示部３と、その下に配置されたハーフミラー５とを備えている。表示部４は、ＬＣＤであり、認証処理装置１１から送られる画像信号を映像に変換して表示し、ハーフミラー５は表示部４により表示された映像を反射させてユーザに見せるようになっている。
【００２６】
検出手段７は、ユーザのバイオメトリクス情報を検出する機能を有している。本実施形態では、バイオメトリクス情報として虹彩パターンを用いるため、検出手段７は虹彩パターンを撮像する虹彩撮像装置としてＣＣＤカメラ８を用いる。図１に示すように、ＣＣＤカメラ（虹彩撮像装置）８は、ヘッドマウントディスプレイ３に搭載され、ハーフミラー５を挟んでユーザの覗き込み位置６の反対側に配置されている。これにより、ハーフミラー５を透過してきた光によりユーザの虹彩パターンを撮像することができる。
【００２７】
なお、バイオメトリクス情報を検出するための検出手段をヘッドマウントディスプレイ３に搭載する場合には、他の実施形態として、ユーザ認証に用いるバイオメトリクス情報に、ユーザの頭部や顔の形状等、その性質上、ユーザがヘッドマウントディスプレイ３を装着したときにのみ検出することができる情報を用いるようにしても良い。
【００２８】
認証処理装置１１は、記憶媒体１に記憶されたバイオメトリクス情報と検出手段７（ＣＣＤカメラ８）により検出されたバイオメトリクス情報とを読み取り、両者を照合してユーザ認証を行い、ユーザ認証が確立したときにのみ情報表示手段２（ヘッドマウントディスプレイ３）による個人情報の表示を許可する機能を有し、少なくとも、ユーザ認証処理に必要な処理を行うＣＰＵ１２と、このＣＰＵ１２による処理を実行させるための所定のプログラムが格納された記憶部１３を内蔵している。このプログラムの中には暗号化されたバイオメトリクス情報を復号化するための鍵情報が含まれており、この鍵により記憶媒体から読み取ったバイオメトリクス情報と個人情報を復号化する処理をＣＰＵ１２にて実行する。また、認証処理装置１１は、記憶媒体１を装入するスロット（図示せず）を有しており、記憶媒体１への情報の書き込み又は読み出しの際には、このスロットに記憶媒体が装入される。
【００２９】
また、上述した検出手段７は、認証処理装置１１によるユーザ認証が確立した後においても継続してユーザのバイオメトリクス情報を検出するようになっている。つまり、ＣＣＤカメラ８により継続してユーザの虹彩パターンを撮像する。そして、認証処理装置１１では継続して検出されるバイオメトリクス情報に基づきユーザ認証を継続して行い、そのユーザ認証の確立を維持することができない場合には、情報表示手段２（ヘッドマウントディスプレイ３）による個人情報の表示を禁止するようになっている。
【００３０】
次に、このように構成された第１実施形態に係る情報提示システムの使用方法と、そのときの情報提示システムの動作について説明する。
【００３１】
まず、ユーザ認証に必要なバイオメトリクス情報としての虹彩パターンを記憶媒体１に登録する必要がある。この登録作業は、記憶媒体１を認証処理装置１１のスロットに装入したうえで、ヘッドマウントディスプレイ３をユーザが装着した状態で行う。ユーザにより、登録開始のための所定の操作が行われると、ＣＣＤカメラ８により虹彩パターンが撮像され、その信号が認証処理装置１１に送られる。認証処理装置１１では送られてきた虹彩パターンの情報を暗号化して記憶媒体１に記憶し、これによりバイオメトリクス情報の登録が完了する。
【００３２】
次に、記憶媒体１に個人情報を入力する場合について説明する。記憶媒体１への個人情報の入力は、記憶媒体１を認証処理装置１１のスロットに装入したうえで、ユーザがヘッドマウントディスプレイ３を装着した状態で行う。また、認証処理装置１１には、キーボード等の外部入力装置（図示せず）が接続される。ユーザにより情報入力開始のための所定の操作が行われると、ＣＣＤカメラ８により虹彩パターンが撮像され、その信号が認証処理装置１１に送られる。認証処理装置１１では、記憶媒体１に暗号化されて記憶された虹彩パターン情報を読み取るとともに復号化し、この虹彩パターンと、ＣＣＤカメラ８により検出された虹彩パターンとを照合してユーザが使用権限を有するものであるか否かを判定する。
【００３３】
この結果、２つの虹彩パターンが一致し、ユーザ認証が確立した場合には、情報の入力が許可され、ユーザは外部入力装置を操作して任意の情報を入力することができる。一方、２つの虹彩パターンが一致せず、ユーザ認証が確立しない場合には、情報の入力が不許可となる。これにより、使用権限を有するユーザ本人以外による情報の入力が禁止されるため、他人による個人情報の改ざんを有効に防止することができる。
【００３４】
次に、このように記憶媒体１に記憶された個人情報をユーザが利用する場合について説明する。記憶媒体１を認証処理装置１１のスロットに装入したうで、ユーザがヘッドマウントディスプレイ３を装着し、情報利用のための所定の操作が行われると、ＣＣＤカメラ８により虹彩パターンが撮像され、その信号が認証処理装置１１に送られる。認証処理装置１１では、記憶媒体１に暗号化されて記憶された虹彩パターン情報と個人情報を読み取り、まず、虹彩パターン情報を復号化しこの虹彩パターンと、ＣＣＤカメラ８により検出された虹彩パターンとを照合してユーザが使用権限を有するものであるか否かを判定する。
【００３５】
この結果、２つの虹彩パターンが一致し、ユーザ認証が確立した場合には、暗号化された個人情報を鍵により復号化し、復号化した個人情報を画像信号として情報表示手段であるヘッドマウントディスプレイ３に送り、その表示部４（ＬＣＤ）で映像を表示しハーフミラー５で反射してユーザに見せる。これにより、記憶媒体１に記憶された個人情報の提示が行われる。
【００３６】
反対に、２つの虹彩パターンが一致せず、ユーザ認証が確立しない場合には、暗号化された個人情報の復号化は行われない。これにより、情報表示手段であるヘッドマウントディスプレイ３による個人情報の表示は禁止され、使用権限を有しないユーザ以外への情報の提示が制限される。
【００３７】
また、一旦ユーザ認証が確立した後も、検出手段７であるＣＣＤカメラ８による虹彩パターンの検出は継続され、認証処理装置１１では、上述したのと同様の手順により継続してユーザ認証を行う。その結果、ユーザ認証の確立が維持できる場合には、個人情報の表示が続行される。反対に、ユーザ認証の確立が維持できない場合には、情報表示手段であるヘッドマウントディスプレイ３による個人情報の表示は停止される。
【００３８】
このように、本発明の第１実施形態による情報提示システムによれば、個人情報を、持ち運び可能な記憶媒体１に記憶しているため、その個人情報の所有者であるユーザ本人が持ち歩くことで、その個人情報を常にユーザ本人の管理下に置くことができ、他人による不正アクセスの危険性を低くすることができる。また、仮に、個人情報を記憶した記憶媒体１が他人に盗まれた場合で合っても、バイオメトリクス情報を用いてユーザ認証を行うことによりセキュリティ機能を高めているので、他人による個人情報への不正アクセスを有効に防止することができる。また、記憶媒体１に記憶された個人情報の内容をユーザ本人の視野内でのみ表示する情報表示手段２を備えているので、ユーザ本人への個人情報の提示に際して、その情報が他人に覗かれてしまう危険性を回避することができる。
【００３９】
また、一旦ユーザ認証が確立した後も継続してユーザ認証を行い、そのユーザ認証の確立を維持することができない場合には情報表示手段２による個人情報の表示を禁止するようになっているため、途中で使用権限を有しないユーザに交替した場合には、情報表示手段２による個人情報の表示が禁止されるので、セキュリティ機能をより高めることができる。また、情報表示手段２としてヘッドマウントディスプレイ３を用いることにより、個人情報の内容をユーザ本人の視野内でのみ確実に表示することができ、他人により覗かれることを確実に防止することができる。
【００４０】
また、バイオメトリクス情報を検出する検出手段７は、ヘッドマウントディスプレイ３に搭載されており、バイオメトリクス情報は、その性質上、ユーザがヘッドマウントディスプレイ３を装着したときにのみ検出することができる情報であるので、ユーザ本人がヘッドマウントディスプレイ３を装着しない限り、ユーザのバイオメトリクス情報を検出することができず、ユーザ認証が行われることがないので、他人による不正アクセスをより効果的に防止することができ、セキュリティ機能をより高めることができる。また、バイオメトリクス情報として、認識精度が高く、非接触での認識が可能で、偽造が困難という利点を有する虹彩パターンを用いるので、認証の信頼性、利便性を高めることができる。また、表示部４により表示された映像をハーフミラー５により反射させてユーザに見せるのと同時に、ハーフミラー５を挟んでユーザの覗き込み位置６の反対側からユーザの虹彩パターンを撮像するので、ユーザへの情報の提示と虹彩パターンの検出を同時に実現することができる。
【００４１】
さらに、将来的に、上述した情報提示システム１０のうち、記憶媒体１以外のデバイス（情報表示手段２、検出手段７、認証処理装置１１）が外出先の様々な場所に設置されるようになれば、ユーザは記憶媒体１だけを持ち歩くことにより、いつでもどこでも自己の個人情報を利用することが可能となる。
【００４２】
次に、本発明に係る情報提示システムの第２実施形態について説明する。図２は、本発明の第２実施形態図である。同図に示すように、第２実施形態では記憶媒体１は認証処理装置１１に内蔵され、認証処理装置１１は、コネクタ１４ａ、１４ｂにより、ヘッドマウントディスプレイ３及びＣＣＤカメラ８と接続できるようになっており、この認証処理装置１１が持ち運び可能になっている。これにより、認証処理装置１１をその個人情報の所有者であるユーザ本人が持ち歩くことで、その個人情報を常にユーザ本人の管理下に置くことができ、他人による不正アクセスの危険性を低くすることができる。その他の構成は、上述した第１実施形態と同様である。また、この情報提示システムの使用方法及び動作についても、バイオメトリクス情報の登録、個人情報の入力、及び個人情報の利用の際にコネクタを接続するほかは、第１実施形態と同様である。そして、この第２実施形態によっても、第１実施形態と同様の効果が得られる。
【００４３】
なお、上述した第１実施形態及び第２実施形態では、記憶媒体１にバイオメトリクス情報自体を記憶させておいたが、これに代えてバイオメトリクス情報に基づいて所定の方式に従って生成されるコード（第１情報）を記憶させてもよい。このとき記憶媒体に記憶する第１情報は、上述した第１実施形態と同様に暗号化しておく。この場合、認証処理装置１１では、記憶媒体１に記憶された情報と検出手段７により検出されたバイオメトリクス情報とを読み取り、読み取ったバイオメトリクス情報に基づいて上記所定の方式と同一方式に従って同様のコード（第２情報）を生成し、第１情報と第２情報とを照合してユーザ認証を行い、ユーザ認証が確立したときにのみ前記情報表示手段による個人情報の表示を許可する。このようにすれば、記憶媒体１にバイオメトリクス情報を記憶する必要がなくなる。
【００４４】
その他、本発明の権利範囲は上述した実施形態に限定されるものではなく、本発明の要旨を変更しない範囲で種々の変更を加え得ることは勿論である。
【図面の簡単な説明】
【００４５】
【図１】本発明の第１実施形態図である。
【図２】本発明の第２実施形態図である。
【図３】従来技術による情報提示システムの処理フロー図である。
【符号の説明】
【００４６】
１  記憶媒体
２  情報表示手段
３  ヘッドマウントディスプレイ
４  表示部
５  ハーフミラー
６  覗き込み部
７  検出手段
８  ＣＣＤカメラ
１０  情報提示システム
１１  認証処理装置
１２  ＣＰＵ
１３  記憶部
１４ａ、１４ｂ  コネクタ
【図１】
2007006393.tif 000003
【図２】
2007006393.tif 000004
【図３】
2007006393.tif 000005